(57)【要約】本発明はＷＣＤＭＡ通信システムにおける低い信頼度のスケジューリング許可を処理する方法と装置に関する。ユーザ機器は受信スケジューリング許可が低い信頼度であることを検出し、その情報に基づきサービング許可を調整する。また、ユーザ機器は連続的に受信した低い信頼度の許可をイベントとしてネットワークに報告することができ、ネットワークに低い信頼度の許可を減少するようその動作を適合させることを可能にする。
2008530837.tif 000002
【特許請求の範囲】
【請求項１】
通信ネットワークにおけるユーザ機器で信頼度の低いスケジューリング許可を扱う方法であって、
少なくとも１つの受信した信頼度の低いスケジューリング許可を検出する（Ｓ１）工程と、
前記検出に基づいて、新しいサービング許可を評価する（Ｓ３）工程とを有することを特徴とする方法。
【請求項２】
所定の時間の間に、連続的に受信した信頼度の低いスケジューリング許可について前記通信ネットワークへイベントをレポートする（Ｓ４）工程をさらに有することを特徴とする請求項１に記載の方法。
【請求項３】
前記所定の時間の間に、所定の数の信頼度の低いスケジューリング許可が受信されたなら前記イベントをレポートする（Ｓ４）ことを特徴とする請求項２に記載の方法。
【請求項４】
前記少なくとも１つの検出された信頼度の低いスケジューリング許可を解釈する（Ｓ２）工程をさらに有し、
前記評価する（Ｓ３）工程では、前記解釈に基づいて、前記新しいサービング許可を評価することを特徴とする請求項１乃至３のいずれか１項に記載の方法。
【請求項５】
何らかの受信した信頼度の低いスケジューリング許可をＨＯＬＤとして解釈する（Ｓ２）ことを特徴とする請求項４に記載の方法。
【請求項６】
前記評価する（Ｓ３）工程は、対応する相対スケジューリング許可が全て、信頼度が高いものである最後のサービング許可を維持する工程を有することを特徴とする請求項１乃至５のいずれか１項に記載の方法。
【請求項７】
ＳＧ（κ）＝ＳＧ（ｍ）に従って、新しいサービング許可を評価し（Ｓ３）、
κは現在の送信時間間隔であり、ｍは全てのスケジューリング許可が信頼度が高いものとして受信された最後の送信時間間隔であることを特徴とする請求項６に記載の方法。
【請求項８】
前記評価する（Ｓ３）工程は、ＤＯＷＮスケジューリング許可、或は新しいサービング許可が以前のサービング許可よりも低いものであるなら前記新しいサービング許可のみに従うことを特徴とする請求項１乃至４のいずれか１項に記載の方法。
【請求項９】
ＳＧ（κ）＝ｍｉｎ｛ＳＧ（ｍ），Ｇserv_cell（κ）｝に従って、新しいサービング許可を評価し（Ｓ３）、
Ｇserv_cellは、現在のＴＴＩにおいて前記サービングセルから受信したスケジューリング許可であることを特徴とする請求項８に記載の方法。
【請求項１０】
信頼度が高く受信したスケジューリング許可に基づいて、新しいサービング許可を評価する（Ｓ３）ことを特徴とする請求項１乃至５のいずれか１項に記載の方法。
【請求項１１】
前記ユーザ機器は隣接セルリストにおける隣接セルについてのアップリンク干渉閾値を受信する工程をさらに有し、
前記受信する工程は少なくとも１つの受信検出した信頼度の低いスケジューリング許可に応答して、
前記隣接セルに対する経路損失を測定し、アップリンク干渉を評価し、
前記干渉が前記アップリンク干渉閾値未満を保持するように、ＴＦＣ選択を用いて送信電力を調整することを特徴とする請求項１に記載の方法。
【請求項１２】
基地局からのアップリンクＴＰＣ命令を受信する工程をさらに有し、
前記解釈する（Ｓ２）工程は、前記受信したアップリンクＴＰＣ命令に基づいて、前記少なくとも１つの受信した信頼度の低い許可を解釈することを特徴とする請求項１乃至４のいずれか１項に記載の方法。
【請求項１３】
もし前記アップリンクＴＰＣ命令がＤＯＷＮであるなら、ＨＯＬＤとして受信した信頼度の低いスケジューリング許可を解釈する（Ｓ２）工程をさらに有し、
これにより前記ユーザ機器は前記サービングセルからの前記許可に従うことができることを特徴とする請求項１２に記載の方法。
【請求項１４】
もし前記アップリンクＴＰＣ命令がＵＰであるなら、ＤＯＷＮとして受信した信頼度の低いスケジューリング許可を解釈する（Ｓ２）工程をさらに有することを特徴とする請求項１２に記載の方法。
【請求項１５】
Ｒg＝−１×ＴＰＣUL_TTIに従って前記少なくとも１つの受信した信頼度の低いスケジューリング許可を解釈し（Ｓ２）、
Ｒg＝干渉を受けた信頼度の低い許可であり、
ＵＰ命令に対してはＴＰＣＵＬ＝１であり、
ＤＯＷＮ命令に対してはＴＰＣＵＬ＝０であり、
ＴＰＣUL_TTIは１ＴＴＩ（２ｍｓ或は１０ｍｓ）の間に受信されるＴＰＣUL命令全ての組み合わされた決定に基づいており、例えば、ＴＰＣULの大部分がＵＰであるなら、ＴＰＣUL_TTIはＵＰであり、ＴＰＣULの大部分がＵＰでないなら、ＴＰＣUL_TTIはＵＰではないことを特徴とする請求項１２に記載の方法。
【請求項１６】
前記検出する（Ｓ１）工程は、前記受信電力が所定の間隔のものであるかどうかを判断する工程を有することを特徴とする請求項１乃至１５のいずれか１項に記載の方法。
【請求項１７】
前記所定の間隔とは信頼度の低い電力領域であることを特徴とする請求項１６に記載の方法。
【請求項１８】
前記信頼度の低い領域は第１の閾値と第２の閾値とにより定義されることを特徴とする請求項１７に記載の方法。
【請求項１９】
複数の受信した信頼度の低いスケジューリング許可を検出することを特徴とする請求項１乃至１８のいずれか１項に記載の方法。
【請求項２０】
１つだけの受信した信頼度の低いスケジューリング許可を検出することを特徴とする請求項１乃至１８のいずれか１項に記載の方法。
【請求項２１】
通信ネットワークにおける信頼度の低いスケジューリング許可を扱う方法であって、
所定の時間の間に、連続して受信検出した信頼度の低いスケジューリング許可についてのイベントのレポートを受信する（Ｓ１０）工程と、
前記受信したイベントレポートに応じて、無線資源管理手順を開始する（Ｓ１１）工程とを有することを特徴とする方法。
【請求項２２】
前記開始する（Ｓ１１）工程は、前記許可チャネルについての電力オフセットを増加してダウンリンク干渉を減少させ、より信頼度の高い許可を可能にすることを特徴とする請求項２１に記載の方法。
【請求項２３】
前記開始する（Ｓ１１）工程は、ダウンリンク負荷を軽減してダウンリンク干渉を減少させ、より信頼度の高い許可を可能にすることを特徴とする請求項２１に記載の方法。
【請求項２４】
前記開始する（Ｓ１１）工程は、信頼度の低い無線リンクを除去し、信頼度の高いリンクで置換する工程を含むことを特徴とする請求項２１に記載の方法。
【請求項２５】
通信ネットワークにおけるノードＢで、送信された信頼度の低いスケジューリング許可を扱う方法であって、
少なくとも１つの送信された信頼度の低いスケジューリング許可を検出する（Ｓ２０）工程と、
前記少なくとも１つの許可に基づいて、無線ネットワーク制御装置に対して前記スケジューリング許可チャネルの電力オフセットを見直すように要求する（Ｓ２１）工程とを有することを特徴とする方法。
【請求項２６】
前記検出する（Ｓ２０）工程は、
ユーザ機器からのビット速度の期待値と実際に受信したビット速度とを比較する工程と、
前記比較結果が所定のビット速度間隔の間となるなら、送信された信頼度の低いスケジューリング許可を検出する工程とを含むことを特徴とする請求項２５に記載の方法。
【請求項２７】
前記要求された見直しに基づいて前記スケジューリングチャネルの電力オフセットを増加させることを特徴とする請求項２５又は２６に記載の方法。
【請求項２８】
前記要求された見直しに基づいてダウンリンク負荷を減少させることを特徴とする請求項２５又は２６に記載の方法。
【請求項２９】
複数の送信された信頼度の低いスケジューリング許可を検出する（Ｓ２０）ことを特徴とする請求項２５乃至２８のいずれか１項に記載の方法。
【請求項３０】
１つの送信された信頼度の低いスケジューリング許可を検出する（Ｓ２０）ことを特徴とする請求項２５乃至２８のいずれか１項に記載の方法。
【請求項３１】
通信ネットワークにおけるユーザ機器であって、
少なくとも１つの受信した信頼度の低いスケジューリング許可を検出する（１１）手段と、
少なくとも前記検出に基づいて、新しいサービング許可を評価する（１３）手段とを有することを特徴とする装置。
【請求項３２】
所定の時間の間に、連続的に受信した信頼度の低いスケジューリング許可について前記通信ネットワークにおけるサービングユニットへイベントをレポートする（１４）手段をさらに有することを特徴とする請求項３１に記載の装置。
【請求項３３】
前記受信検出された少なくとも１つの信頼度の低いスケジューリング許可を解釈（１２）する手段をさらに有し、
前記評価する（１３）手段は、前記解釈に基づいて、前記新しいサービング許可を評価するよう適合されていることを特徴とする請求項３１又は３２に記載の装置。
【請求項３４】
隣接セルリストにおける隣接セルについてのアップリンク干渉閾値を受信する手段をさらに有し、
前記受信する手段は、少なくとも１つの受信検出した信頼度の低いスケジューリング許可に応答して、
前記隣接セルに対する経路損失を測定し、アップリンク干渉を評価し、
前記干渉が前記アップリンク干渉閾値未満を保持するように、ＴＦＣ選択を用いて送信電力を調整するように適合されていることを特徴とする請求項３１に記載の装置。
【請求項３５】
基地局からのアップリンクＴＰＣ命令を受信する手段をさらに有し、
前記解釈する（１２）手段は、前記受信したアップリンクＴＰＣ命令に基づいて、前記少なくとも１つの受信した信頼度の低い許可を解釈するよう適合されていることを特徴とする請求項３３又は３４に記載の装置。
【請求項３６】
通信ネットワークにおいて信頼度の低いスケジューリング許可を扱うネットワークユニットであって、
所定の時間の間に、連続して受信検出した信頼度の低いスケジューリング許可についてのイベントのレポートを受信する（４０）手段と、
前記受信したイベントに応答して、無線資源管理手順を開始する（４１）手段とを有することを特徴とするネットワークユニット。
【請求項３７】
前記ネットワークユニットは無線ネットワーク制御装置であることを特徴とする請求項３６に記載のネットワークユニット。
【請求項３８】
通信ネットワークにおけるノードであって、
少なくとも１つの送信された信頼度の低いスケジューリング許可を検出する（５０）手段と、
前記少なくとも１つの送信された許可に基づいて、無線ネットワーク制御装置に対して前記スケジューリング許可チャネルの電力オフセットを見直すように要求する（５１）手段とを有することを特徴とするノード。
【請求項３９】
前記要求された見直しに基づいて前記スケジューリングチャネルの電力オフセットを増加させる手段をさらに有することを特徴とする請求項３８に記載のノード。
【請求項４０】
前記要求された見直しに基づいてダウンリンク負荷を減少させる手段をさらに有することを特徴とする請求項３８に記載のノード。
【請求項４１】
前記ノードはノードＢであることを特徴とする請求項３８乃至４０のいずれか１項に記載のノード。
【発明の詳細な説明】
【技術分野】
【０００１】
本発明は一般的には通信システムに関し、特に、ＷＣＤＭＡ通信システムにおける低い信頼度のスケジューリング許可を処理する方法と装置に関する。
【背景技術】
【０００２】
ＷＣＤＭＡの拡張アップリンクでは、ノードＢは、現在では２ｍｓ或は１０ｍｓである送信時間間隔（ＴＴＩ）毎に、ユーザ機器（ＵＥ）に対してスケジューリング命令を送る。各ユーザ機器は、ネットワークから受信したスケジューリング許可が指示した送信ビット速度を増加または減少させることによって、サービング許可（ＳＧ）を維持する。同様に、この送信ビット速度における変化は、ユーザ機器における伝送フォーマット組合せ（ＴＦＣ）の選択を適用することにより達成される。
【０００３】
スケジューリング許可またはスケジューリング許可メッセージは、ユーザ機器が使用してもよいアップリンク資源の最大量について、例えば、サービングおよび非サービングの両方の無線リンクセットのノードＢからユーザ機器へ表示を提供する。スケジューリング許可は送信時間間隔（ＴＴＩ）に一度かそれより少ない頻度で送られる。サービング許可（ＳＧ）は、ユーザ機器が現在サービング無線リンクセットで使用しているアップリンク資源、即ち、ビット速度を表す。
【０００４】
以下の二つの形式の許可チャネルは、従来技術による標準、即ち、拡張相対許可チャネル（Ｅ−ＲＧＣＨ：Enhanced Relative Grant Channel）および拡張絶対許可チャネル（Ｅ−ＡＧＣＨ：Enhanced Absolute Grant Channel）において規定されている（非特許文献１、非特許文献２参照）。Ｅ−ＲＧＣＨチャネルはサービング無線リンクセット（ＲＬＳ）によって、また同様に一個または数個の非サービングＲＬＳによって送信される。このことは図１に示されている。サービングＲＬＳは“ＤＯＷＮ”、“ＵＰ”および“ＨＯＬＤ”命令を送信する。これら命令は夫々、例えば、−１、＋１、０に相当する。他方、非サービングＲＬＳは“ＤＯＷＮ”または“ＨＯＬＤ”のいずれかを送信する。これら命令は夫々、＋１または０に相当する。サービングＲＬＳのみがＥ−ＡＧＣＨチャネルを使用して、ユーザ機器のための最大許容ビット速度に相当する絶対許可を送信する。
【０００５】
ソフトハンドオーバ（ＳＨＯ）では、ユーザ機器はサービングＲＬＳから絶対許可と相対許可の内、少なくともいずれかを受信し、一方、非サービングＲＬＳは相対許可のみを送信する。もし、相対許可のどれかが“ＤＯＷＮ”であれば、ユーザ機器は、従来技術に従って以下のように、新しいＳＧを推定する。即ち、
新しいＳＧ＝最終使用のビット速度−δ
である。
【０００６】
上記の式におけるδはユーザ機器の送信電力またはビット速度に相当する。もし、相対許可のいずれも“ＤＯＷＮ”でなければ、新しいＳＧはサービングＲＬＳから受信した絶対／相対許可に従うであろう。
【非特許文献１】3GPP TS 25.211“物理チャネルと物理チャネル上へのトランスポートチャネルのマッピング（ＦＤＤ）”
【非特許文献２】3GPP TS 25.214“物理レイヤ処理手順（ＦＤＤ）”
【非特許文献３】3GPP TS 25.302“物理レイヤによって提供されるサービス”
【非特許文献４】3GPP TS 25.321“ＭＡＣ仕様”
【非特許文献５】3GPP TS 25.331“ＲＲＣプロトコル仕様”
【非特許文献６】3GPP TS 25.101“ＵＥ無線送信と受信（ＦＤＤ）”
【発明の開示】
【発明が解決しようとする課題】
【０００７】
従来技術に従う現在の解決策は少なくとも二つの問題点があることを示唆している。
【０００８】
第一には、全てのスケジューリング許可が信頼できるものではないという点である。許可の電力が、例えば、“ＤＯＷＮ”許可が間違って“ＨＯＬＤ”許可として処理される可能性があるというようなリスクが常にあり、これはシステムに余りにも多くの干渉をもたらすという結果になる。
【０００９】
第二には、ネットワークは送信中のスケジューリング許可が信頼できるのかどうかに気がつかないという点である。
【００１０】
従って、ユーザ機器で低い信頼度のスケジューリング許可の処理を提供する解決策が必要であり、また、ネットワークにおける低い信頼度の許可の発生を削減する必要がある。
【課題を解決するための手段】
【００１１】
本発明の目的は、通信システムにおける低い信頼度のスケジューリング許可を処理する方法と装置を提供することであり、具体的には、本発明の目的は、高い信頼度と低い信頼度とのスケジューリング許可に基づき、ユーザ機器が新しいサービング許可を評価できるようにし、通信ネットワークが低い信頼度のスケジューリング許可を処理できるようにすることである。
【００１２】
通信ネットワークがスケジューリング許可の信頼度を改善できるようにすることが本発明のさらなる目的である。
【００１３】
これらおよび他の目的は、添付の請求の範囲によって達成される。
【００１４】
簡単に言えば、本発明に従えば、ユーザ機器は、受信スケジューリング許可が低い信頼度であることを検出し、その情報に基づきそのサービング許可を調整する。具体的な実施例に従えば、ユーザ機器はまた、連続的に受信した低い信頼度の許可をネットワークにイベントとして報告でき、ネットワークが低い信頼度の許可を減少させるようにその動作を適応させるようにできる。連続的という用語は、複数の連続して受信したスケジューリング許可が低い信頼度であるという意味で使用されている。
【００１５】
本発明は、低い信頼度のスケジューリング許可の受信に対応して、ユーザ機器に新しい方法を提案する。一般的には、その方法には次のことが含まれる。即ち、ユーザ機器は受信した低い信頼度の相対スケジューリング許可を検出すること、及び、ユーザ機器は適切な動作を行うこと、即ち、干渉を防ぐようにそのサービング許可を調整することである。
【００１６】
オプションとしては、ユーザ機器は、許可が連続的に低い信頼度で受信されているかどうかネットワークにイベントを報告する。その後、そして選択的に、ネットワークは許可チャネルの電力オフセットと相当セルのダウンリンク負荷の内の少なくともいずれかを調整する。
【００１７】
本発明の利点には以下のことが含まれる。
【００１８】
−低い信頼度のスケジューリング許可はユーザ機器によって検出され、そのような許可はソフトハンドオーバ合成プロセスの間は考慮されない。
【００１９】
−ユーザ機器は、ネットワークが許容可能以上の高い速度で送信せず、それにより悪いアップリンク受信品質を防ぐ。
【００２０】
−ユーザ機器は、幾つかのシナリオで、基地局が低い信頼度の許可を送信していることを検出できる速度で送信する。
【００２１】
−ネットワークは、スケジューリング許可が高い信頼度で受信されているかどうかを知ることができる。
【００２２】
−ネットワークは、幾つかの無線資源管理（ＲＲＭ）動作を行うことができ、このことは結局、低い信頼度の許可を送信するという問題を軽減するであろう。
【００２３】
本発明について、そのさらなる目的および利点と共に、添付図面と共にとられた以下の説明を参照することにより最善の理解が得られる。
【発明を実施するための最良の形態】
【００２４】
略  語
ＵＥ            ユーザ機器
ＵＬ  ＴＰＣ    アップリンク送信電力制御
Ｅ−ＲＧＣＨ    拡張相対許可チャネル
Ｅ−ＡＧＣＨ    拡張絶対許可チャネル
ＴＴＩ          送信時間間隔
ＳＧ            サービング許可
ＴＦＣ          伝送フォーマット組合せ
ＲＬＳ          無線リンクセット
Ｅ−ＤＣＨ      拡張専用チャネル
ＷＣＤＭＡ      広帯域符号分割多元接続
ＲＲＭ          無線資源管理
３ＧＰＰ        第三世代パートナーシッププロジェクト
ＲＮＣ          無線ネットワーク制御装置
ＳＨＯ          ソフトハンドオーバ。
【００２５】
従来技術の第一の問題は、ユーザ機器（ＵＥ）が受信スケジューリング許可の信頼度チェックを全く実行せず、そのために、ＵＥが特にソフトハンドオーバのためにその許可を間違って解釈するかも知れないということである。言いかえると、ＵＥが受信した幾つかの許可メッセージは信頼度が低い可能性がある。このことは多くの理由、即ち、雑音の多いリンク、許可チャネルに設定された不適切な電力による許可チャネルへのより低い送信電力、ＵＥの悪い受信器性能等によって起り得る。
【００２６】
例えば、“ＤＯＷＮ”許可が“ＨＯＬＤ”として解釈される場合、ユーザ機器はサービングＲＬＳからのスケジューリング許可に従い、このことは非サービングまたは隣接セルでの過剰な干渉に至るかも知れない。他方、“ＨＯＬＤ”を“ＤＯＷＮ”として検出すれば、これはスループット損失に至るであろう。注意すべき重要なことは、基地局は、全基地局がそれぞれのスケジューリング許可を独立に送信することを示唆する隣接セルの負荷状況について、全く情報がないということである。
【００２７】
“ＤＯＷＮ”を“ＨＯＬＤ”と間違えて検出すると、アップリンク干渉に大きな影響があるためさらに極端な状況になる。しかしながら、もし、（サービングＲＬＳからの）“ＵＰ”が“ＨＯＬＤ”として解釈されるか、または、（隣接セルからの）“ＨＯＬＤ”が“ＤＯＷＮ”として解釈されるなら、スループット損失も生じる。同様に、もし、ＵＥが（サービングＲＬＳからの）“ＨＯＬＤ”を“ＵＰ”として処理するなら、ネットワーク或は基地局は大きな干渉を被るであろう。
【００２８】
現在の解決策に係わるもう一つの問題は、通信ネットワークは送信された許可が信頼できるのかどうかに気が付かない点にある。即ち、受信された許可が信頼できないことをネットワークが知り得る機構がないのである。このことは、複数の低い信頼度の許可がネットワークによる何の修正動作もなしに連続的に送信され、隣接セルにおいて過度の干渉をもたらす結果となることを意味する。
【００２９】
基本的に、本発明はユーザ機器とネットワークにおける低い信頼度のスケジューリング許可を扱うことに取り組む。ユーザ機器はそのような低い信頼度の許可を識別し、以下に述べる詳細な説明で、あり得る実施例の１つに従ってそれらを処理する一方、ネットワークでは、以下に述べる詳細な説明での一つの実施例の援けで信頼度を保証する。本発明に従う解決策は単一リンクに適用可能であるがこれに限定されるものでなく、特にソフトハンドオーバのシナリオにおいては特に利点がある。
【００３０】
本発明は、図１に示されるように、ユーザ機器ＵＥがサービング無線リンクセットＲＬＳと通信し、サービングＲＬＳと少なくとも一つの非サービングＲＬＳとの両方からスケジューリング許可を受信するという環境で説明する。
【００３１】
図１において、本発明が適用可能な基本的な状況は、ユーザ機器（ＵＥ）がサービングＲＬＳと少なくとも一つの非サービングＲＬＳとから複数の相対スケジューリング許可を受信するという状況である。ＵＥは非サービングＲＬＳからの相対許可のいずれかが信頼できるかどうかを検出する必要がある。スケジューリング許可が低い信頼度であることの１つの示唆は、許可チャネルからの受信電力が、図２に表示される低い信頼度の電力領域または区間δ１、δ２の内の一つにあることである。
【００３２】
少なくとも一つの低い信頼度のスケジューリング許可を検出する時に、ＵＥは、隣接セルが過度の干渉を受けないよう、動的にそのサービング許可（ＳＧ）に適応するために適切な動作を行う必要がある。次に、この調整のための幾つかの実施例を説明する。
【００３３】
基本的には、ＵＥは非サービングＲＬＳから受信した相対許可のいずれかが信頼できるかどうかを検出する必要がある。例えば、許可チャネルからの受信電力が図２に図示される低い信頼度の領域または電力区間δ１、δ２内にあるなら、低い信頼度のものが検出できる。その区間内の受信電力を持つ許可に対しては、“ＨＯＬＤ”許可と“ＤＯＷＮ”許可とを区別することや、“ＵＰ”許可と“ＨＯＬＤ”許可とを区別することは困難であるという意味で、その領域は信頼度が低いのである。もし、相対許可のいずれかが低い信頼度であれば、ＵＥは、隣接セルが過度の干渉を受けないよう、サービング許可（ＳＧ）を適合させる。言い換えれば、ＵＥは動的にそのＳＧを適合させるのである。
【００３４】
図３において、この方法の基本的な実施例に従えば、ユーザ機器は、少なくとも一つの受信スケジューリング許可が低い信頼度であることを検出し（Ｓ１）、その後、ＵＥはその低い信頼度の許可を評価または解釈し（Ｓ２）、そして、少なくともその解釈に基づいて新しいサービング許可を評価する（Ｓ３）。
【００３５】
具体的な実施例によれば、もし、ユーザ機器が複数の連続的な低い信頼度のスケジューリング許可を受信するなら、ネットワーク、即ち、無線ネットワーク制御装置にイベントを報告する（Ｓ４）。
【００３６】
好適な実施例に従えば、ユーザ機器は検出された低い信頼度のスケジューリング許可を解釈または評価し（Ｓ２）、その解釈に基づいて新しいサービング許可を評価する（Ｓ３）。
【００３７】
これに代わる実施例によれば、もし受信電力が所定の電力区間または領域内にあれば、スケジューリング許可は低い信頼度のものとして検出される（Ｓ１）。“ＤＯＷＮ”命令と“ＨＯＬＤ”命令との間の第１の領域δ１と、“ＨＯＬＤ”命令と“ＵＰ”命令との間の第２の領域δ２にそのような低い信頼度の領域がある。
【００３８】
次に、低い信頼度のスケジューリング許可の評価または解釈（Ｓ２）と新しいサービング許可の評価（Ｓ３）とに関するいくつかの具体的な実施例について説明する。
【００３９】
一般に、ユーザ機器はある判断基準に基づき低い信頼度のスケジューリング許可を解釈し、その解釈に基づいて新しいサービング許可を評価する。また、解釈ステップには低い信頼度の許可を無視し、従って、新しいサービング許可の評価ではその低い信頼度の許可を使用しないことを含むと良い。さらに、解釈にはある追加的な測定で援助を受けることができる。しかしながら、実施例の全体的な思想は、スケジューリング許可は信頼度が低いことをＵＥが検出し、新しいサービング許可を評価するときにはこれを考慮するという点にある。
【００４０】
本発明の好適な実施例によれば、新しいサービング許可を評価する（Ｓ３）時、ＵＥは受信した低い信頼度の相対スケジューリング許可を“ＨＯＬＤ”として評価または解釈する（Ｓ２）。このことは、ＵＥが他の信頼度の高い許可に従わねばならないことを意味する。全ての相対許可が低い信頼度である場合には、全ての許可は“ＨＯＬＤ”であるとＵＥは取扱わなければならず、このことは、サービング相対許可は変化しないだろうことを意味する。相対許可のあり得る組合せは以下にリストする通りである。
【００４１】
即ち、
“ＵＰ”と“信頼度が低い”          −−＞“ＵＰ”
“ＤＯＷＮ”と“信頼度が低い”      −−＞“ＤＯＷＮ”
“ＨＯＬＤ”と“信頼度が低い”      −−＞“ＨＯＬＤ”
“信頼度が低い”と“信頼度が低い”  −−＞“ＨＯＬＤ”
である。
【００４２】
本発明の別の具体的な実施例によれば、少なくとも一つの相対許可が低い信頼度である場合、ＵＥは非サービングＲＬＳからの相対スケジューリング許可を無視する。この場合の評価ステップＳ２は、低い信頼度の相対スケジューリング許可が決して受信されてはならないと判断されることを意味する。このことは、ＵＥは、対応する相対許可全てが高い信頼度であった最後のサービング許可を維持することを意味する。それ故、ＵＥはそのサービング許可（ＳＧ）を以下のように評価する（Ｓ３）。
【００４３】
ＳＧ（κ）＝ＳＧ（ｍ）
ここで、ＵＥが全てのＲＬＳから高い信頼度の相対許可を受信した場合に、κは現在のＴＴＩを示し、ｍは最後のＴＴＩを示す。あり得る許可の組合せには以下のものが含まれる。
【００４４】
即ち、
“ＵＰ”と“信頼度が低い”          −−＞“ＨＯＬＤ”
“ＤＯＷＮ”と“信頼度が低い”      −−＞“ＨＯＬＤ”
“ＨＯＬＤ”と“信頼度が低い”      −−＞“ＨＯＬＤ”
“信頼度が低い”と“信頼度が低い”  −−＞“ＨＯＬＤ”
である。
【００４５】
しかしながら、もしＲＬＳの一つが送信ビット速度の減少を望むなら、ＵＥが依然として余りにも高速なデータ速度で送信する場合に対しては、上記の実施例はその予防措置を提供していない。従って、さらなる具体的な実施例がこの実施例のさらなる詳細であり、それは、１つ以上の信頼度の低い許可がある場合に、ＵＥはただ“ＤＯＷＮ”許可またはその許可が前の許可より低ければ新しいサービング許可に従うのみである。
【００４６】
即ち、
ＳＧ（κ）＝ｍｉｎ｛ＳＧ（ｍ），Ｇserv_cell（κ）｝
である。
【００４７】
ここで、Ｇserv_cellは、現在のＴＴＩにおいて、サービングセルから受信したスケジューリング許可（相対または絶対）を示す。許可のあり得る組合せは以下のものを含む。
【００４８】
即ち、
“ＵＰ”と“信頼度が低い”          −−＞“ＨＯＬＤ”
“ＤＯＷＮ”と“信頼度が低い”      −−＞“ＤＯＷＮ”
“ＨＯＬＤ”と“信頼度が低い”      −−＞“ＨＯＬＤ”
“信頼度が低い”と“信頼度が低い”  −−＞“ＨＯＬＤ”
である。
【００４９】
さらに別の実施例では、ネットワークはアップリンク干渉閾値を送信する、即ち、ユーザ機器ＵＥは、隣接セルリストの隣接セルに対して、全てのセルに共通な、または、異なるセルには異なるというような閾値を受信する。低い信頼度のスケジューリング許可が検出された時（Ｓ１）、ＵＥは、隣接セルへの経路損失を測定し、アップリンク（ＵＬ）干渉を評価する。次に、ＵＥは、ネットワークによって設定された閾値以下にアップリンク（ＵＬ）干渉を保つため、ＴＦＣ選択を使用してその送信電力を調整する。このようにして、隣接セル上の干渉は回避される。この方法は、たとえ許可シグナリングが全体として低い信頼度であったとしても、ＵＥがいずれかの隣接セルに対して原因となり得る最大の干渉には制限があるという利点がある。たとえダウンリンクが全体的にしばらく無くなってしまったとしても、そのＵＥはその原因となる干渉を制限できるであろう。アクティブセットに無いセルが、アクティブセットに追加されようとする直前に保護され、非サービングまたはサービングセルになる。さらにまた、もし評価された干渉が小さいなら、以前の実施例と異なり、ＵＥはより高速に送信できるかもしれない。また、干渉を回避するためアップリンク干渉閾値を設定するという思想は、例えば、単純なＤＣＨのような他のタイプのアップリンクチャネルにも適用可能である。
【００５０】
この実施例は本発明の以前の実施例全てと組合せて使用できる。
【００５１】
本発明に従う方法のさらに別の具体的な実施例によれば、ＵＥは、ネットワークからの低い信頼度の相対スケジューリング許可を評価または解釈するために他の情報を利用できる。
【００５２】
Ｅ−ＤＣＨ送信では、高速電力制御が使用される。もし無線リンクが低い信頼度である場合、この具体的な実施例によれば、ＵＥはまた、アップリンク（ＵＬ）  ＴＰＣ命令を使用し、この命令はダウンリンクで、即ち、ノードＢからＵＥに送信され、非サービングＲＬＳからの相対許可の解釈を支援する、即ち、ＵＬ  ＴＰＣ命令はアップリンクの品質を示すことができる。ＵＬ  ＴＰＣ命令“ＤＯＷＮ”は、対応する無線リンクのアップリンクが良好であることと、その逆もしかりであることを示唆する。もし、アップリンク（ＵＬ）  ＴＰＣ命令が“ＤＯＷＮ”（即ち、良好なリンク）で、スケジューリング許可が低い信頼度であれば、ＵＥはそのスケジューリング許可を“ＨＯＬＤ”と解釈することができる。それ故、ＵＥは次に、単にサービングセルからの許可に従うことができる。同様に、もしＴＰＣ命令が“ＵＰ”（不良なアップリンク）で、スケジューリング許可が低い信頼度であれば、ＵＥはそのスケジューリング許可を“ＤＯＷＮ”と考えることができる。
【００５３】
“１”を“ＤＯＷＮ”ＵＬ  ＴＰＣ命令に対する論理値として、“０”を“ＵＰ”ＵＬ  ＴＰＣ命令に対する論理値として仮定し、そして、
ＴＰＣUL_TTI＝１；ＵＰ命令、
０；ＤＯＷＮ命令
と示せば、そのアルゴリズムは以下のようにまとめられる。
【００５４】
もし受信“相対許可”Ｒgが低い信頼度なら、
Ｒg＝（−１）・ＴＰＣUL_TTIＲg＝−１×ＴＰＣUL_TTI
である。
【００５５】
なお、Ｒg＝（−１）は“ＤＯＷＮ”を意味し、Ｒg＝０は“ＨＯＬＤ”を意味する。
【００５６】
ＴＰＣUL_TTIは１ＴＴＩ（２ｍｓまたは１０ｍｓ）の間に受信した全てのＴＰＣULを組み合わせた決定に基づいている。例えば、もしＴＰＣULの大多数がＵＰならＴＰＣUL_TTIはＵＰであり、もしＴＰＣULの大多数がＵＰではないなら、ＴＰＣUL_TTIはＵＰではない。
【００５７】
この解決策は、ＴＰＣ命令が高い信頼度で検出された場合にも実現可能である。非特許文献６である第３世代パートナーシッププロジェクト発行の文書３ＧＰＰ  ＴＳ２５．１０１“ＵＥ無線送信と受信（ＦＤＤ）”によれば、ＵＥは、受信したＴＰＣ命令が高い信頼度であるかどうかを検出することを要求される。しかしながら、ＴＰＣ命令が高い信頼度で受信されるかどうかをネットワークに示すものは何も無い。それ故に、Ｍ個のＴＰＣ命令が一定時間の間、信頼度が低い場合（上記の低い信頼度の許可に対する場合と同じ原理）、ＵＥはイベントを報告しなければならないことが提案される。その結果、ネットワークはダウンリンク（ＤＬ）ＤＰＣＣＨの電力オフセットを増加するか、または、ダウンリンク負荷を削減して、後続のＵＬ  ＴＰＣ命令もまた高い信頼度で受信されることを保証することができる。現在のところ、ＵＥは、リンクが今にも切断されようとする極端な状況である同期はずれを報告する。
【００５８】
上記で説明した例には２個の受信スケジューリング許可に対する場合を含む。しかしながら、同じ原理が３個以上のスケジューリング許可がある場合にも適応できる。
【００５９】
上述の実施例はユーザ機器が正しく低い信頼度のスケジューリング許可を評価できるように作用するが、低い信頼度の許可の発生をどのようにして削減するかについてのどんな示唆も与えていない。従って、ネットワークでの対策が低い信頼度の許可の場合に必要である。このことは、送信される低い信頼度のスケジューリング許可の数を削減するために必要であり、その結果、システムにおける不必要な干渉を削減することになる。
【００６０】
図４において、本発明の方法の基本的な実施例によれば、ネットワークはユーザ機器から連続的に低い信頼度のスケジューリング許可を受信した場合にはレポートを受信し（Ｓ１０）、システムにおけるスケジューリング許可チャネルのために電力オフセットの調整を開始する（Ｓ１１）。
【００６１】
もしソフトハンドオーバシナリオにおける受信スケジューリング許可が低い信頼度であれば、ＵＥは、隣接セルが干渉を受けないことを保証するために、ユーザ機器のために上述したような可能な解決策を使用できる。しかしながら、スケジューリング許可が連続的に低い信頼度で送信されているかどうかをネットワークに通知することも重要である。これにより、ネットワークは無線資源管理（ＲＲＭ）に関連する幾つかの動作を行うことができるであろう。
【００６２】
この解決策の一つの提案された実施例は、もしＮ個のスケジューリング許可が測定区間Ｔ1ｍｓにわたって低い信頼度で受信されたなら、このイベント（Ｕg）がレポートされ（Ｓ４）、ＲＲＣシグナリングを用いて、例えば、無線ネットワーク制御装置（ＲＮＣ）のようなサービングネットワークユニットで受信される（Ｓ１０）。ネットワークは、ＲＲＣシグナリングを用いてパラメータ値（ＮとＴ1）を構成する。もしネットワークがＵＥからそのイベント（Ｕg）を受信する（Ｓ１０）なら、ＵＥが後続のスケジューリング許可を高い信頼度で受信することを保証するため、それは幾つかの無線資源管理の対策をとる（Ｓ１１）。例えば、具体的な実施例によれば、ネットワークは許可チャネルにおける電力オフセットを増加したり、或は、別の実施例によれば、ダウンリンク負荷を低減させ、ダウンリンク干渉を小さくし、最終的には許可命令は雑音が少なくなるようにすることができる。
【００６３】
従来技術によれば、例えば、ノードＢのようなノードは、送信中のスケジューリング許可が低い信頼度で受信されていることに気付くことができない。それ故に、ユーザ機器にまだ到着する前に、低い信頼度の許可の実際の送信を防止したり、或は、それらを検出することは有益なことであろう。
【００６４】
それ故に、この方法の基本的な実施例には、図５を参照すれば、ノードＢが低い信頼度で送信されたスケジューリング許可を検出し（Ｓ２０）、その後、許可チャネルのための電力オフセットを見直すよう、例えば、無線ネットワーク制御装置のようなサービングユニットに要求する（Ｓ２１）ことが含まれる。
【００６５】
即ち、１つ以上の低い信頼度のスケジューリング許可は、ある場合には、無線基地局が期待するデータ速度よりも低速か或は高速にＵＥが送信するという結果になるかもしれない。例えば、高い信頼度の“ＵＰ”と低い信頼度の“ＤＯＷＮ”の組合せは、低い信頼度の“ＤＯＷＮ”命令を送信する基地局で期待されるより高速のデータ速度になるであろう。この予期せぬデータ速度が基地局或はノードＢで検出され（Ｓ２０）され、基地局或はノードＢは次に、ＲＮＣにスケジューリング許可チャネルの電力オフセットを見直すように要求する（Ｓ２１）ことができる。次に、ＲＮＣは電力オフセットを増加させたり、或は、例えば、ダウンリンク負荷を削減するなどの何か適切な動作を行うことができる。
【００６６】
低い信頼度の許可の影響はソフトハンドオーバを行う状況ではさらに重大である。なぜなら、このことが隣接基地局における干渉の原因となるからである。しかし、ＵＥが単一リンクシナリオにおける命令の信頼度をチェックすることも重要である。単一リンクの場合には、一方ではサービングセルが余りにも大きな干渉を受信するかも知れないというリスクがあり、他方では資源があまり使用されないかもしれないというリスクがある。単一リンクの場合、ＵＥは低い信頼度のスケジューリング許可を“ＨＯＬＤ”として単純に処理するだけである。このことは、ユーザ機器に対する上述したのと同じ原理を用いて、最後の高い信頼度の許可に従ってＵＥが送信することを意味する。単一リンクの場合、これは次のことを意味する。
【００６７】
即ち、
“低い信頼度＝ＨＯＬＤ”
である。
【００６８】
また、ＵＥは、以前に述べたように、ＵＬ  ＴＰＣ命令を利用して、少なくともサービングＲＬＳからの相対スケジューリング許可を高い信頼度で検出する支援をしてもよい。
【００６９】
Ｎ個のスケジューリング命令が、時間区間Ｔ1ｍｓの間、低い信頼度で検出された場合、ＵＥはネットワークにこのイベントをレポートすることもでき、ネットワークは、次に、低い信頼度の許可とＲＲＭ動作のレポートについて上記の節で述べたような幾つかのＲＲＭ動作を取ることができる。また、上記のような基地局の電力調整を用いることもできる。
【００７０】
上記の方法を実施するために適合される装置について、図６を参照して説明する。
【００７１】
本発明に従うユーザ機器の装置構成の実施例には、低い信頼度の受信スケジューリング許可を検出するための検出ユニット１１と、受信した低い信頼度の許可を評価または解釈するためのオプションの解釈または評価ユニット１２と、低い信頼度の許可とおそらく幾つかの他の情報の評価に基づくユーザ機器ＵＥのための新しいサービング許可を評価または計算する評価ユニット１３とを含む。オプション的には、その装置構成には、もし低い信頼度の許可がユーザ機器ＵＥで連続的に受信される場合、例えば、無線ネットワーク制御装置のようなネットワークのサービングユニットにイベントをレポートするために適合したレポートユニット１４を含む。
【００７２】
さらなる実施例によれば、その装置構成には、隣接セルリストの隣接セルに関してアップリンク干渉閾値を受信するユニットを含む。その受信ユニットは、低い信頼度の許可の検出に応答して、隣接セルのパス損失を測定し送信電力を調整するように適合される。
【００７３】
もう一つの具体的な実施例では、ネットワークにおけるサービングユニット、例えば、基地局からのＵＬ  ＴＰＣ命令を受信するためのユニットを含み、解釈ユニット２１がＵＬ  ＴＰＣ命令に基づいて検出された低い信頼度の許可を解釈するために適合される。
【００７４】
ユーザ機器における装置構成の上記全ての実施例に関して、検出ユニット１１は単一の受信した低い信頼度の許可と多数の低い信頼度の許可との内、少なくともいずれかを検出できる。
【００７５】
また、図６において、通信システムにおけるノード、例えば、ノードＢの実施例には、送信された低い信頼度のスケジューリング許可を検出する検出ユニット５０と、検出された低い信頼度の送信されたスケジューリング許可に基づき、スケジューリング許可チャネルに対する電力オフセットを見直して、おそらくは調整をするよう、例えば、無線ネットワーク制御装置のようなサービングユニットに要求する要求ユニット５１とを含む。
【００７６】
また、図６において、本発明に従う、例えば、無線ネットワーク制御装置のようなサービングユニットの実施例には、ユーザ機器からのイベントレポートを受信する受信ユニット４０と、その受信イベントレポートに応じて無線資源管理（ＲＲＭ）処理手順を開始する開始ユニット４１とを含む。このようなＲＲＭの動作には、許可チャネルにおける電力オフセットを増加すること、ダウンリンク負荷を削減すること、低い信頼度の無線リンクを除去或はそれを高い信頼度の無線リンクで置換することとの内、少なくともいずれかを含んでいても良い。
【００７７】
要約すると、ユーザ機器ＵＥは受信したスケジューリング許可のいずれかが低い信頼度であるかどうかを検出する必要がある。従って、１つ以上のスケジューリング許可が低い信頼度である場合には、ユーザ機器がその新しいサービング許可（ＳＧ）を設定できる別の方法を定義する必要がある。Ｎ個のスケジューリング許可がある時間区間にわたって低い信頼度で受信されたなら、ユーザ機器は、無線ＲＲＣシグナリングで、例えば、ＲＮＣのようなネットワークに、例えば、イベントＵgをレポートする。ネットワークがＵgイベントを受信する場合、ネットワークは適当な対策を実施し、例えば、対応する許可チャネルの電力オフセットを増加させる。もう一つの可能性は、対応するセルのダウンリンク負荷を削減し、それによって干渉を減らし、ＵＥによるスケジューリング許可の検出を改善する。あるシナリオでは、ノードＢは、それが低い信頼度の許可を送信しているかどうかを検出することができる。この検出は、ＵＥの予想ビット速度と実際の送信ビット速度との間の差に基づくであろう。そのとき、ノードＢは許可チャネルの電力オフセットを調整するようＲＮＣに要求できる。
【００７８】
従って、本発明は、ユーザ機器が低い信頼度のスケジューリング許可を受信する場合におけるユーザ機器とネットワークユニットのための新しい方法と装置について説明している。ユーザ機器は低い信頼度の許可を検出し、適切な動作を行う、例えば、許可が連続的に低い信頼度で受信されたならネットワークにイベントを報告する。ネットワークは許可チャネルの電力オフセットと対応するセルのダウンリンク負荷との内、少なくともいずれかを調整する。上記の実施例は単に例として与えられたものであり、本発明はこれによって限定されるものではないことを理解すべきである。ここに開示され、特許請求された基本的な原理を保持した更なる改良、変更および改善は本発明の範囲内にある。また、本発明に従う様々な方法と装置は、主要な発明の概念から逸脱することなく、互いに、また、他の機能との組み合わせが可能であることも示唆している。
【図面の簡単な説明】
【００７９】
【図１】Ｅ−ＤＣＨにおけるスケジューリング許可の送信を示す図である。
【図２】相対スケジューリング許可のための低い信頼度の電力領域を示す図である。
【図３】本発明に従う方法の一つの実施例を図式的に示したフローチャートである。
【図４】本発明に従う方法のもう一つの実施例を図式的に示したフローチャートである。
【図５】本発明に従う方法のさらにもう一つの実施例を図式的に示したフローチャートである。
【図６】本発明に従う装置の実施例を示す図である。
【図１】
2008530837.tif 000003
【図２】
2008530837.tif 000004
【図３】
2008530837.tif 000005
【図４】
2008530837.tif 000006
【図５】
2008530837.tif 000007
【図６】
2008530837.tif 000008
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
単一のリンクとソフトハンドオーバの発生する状況で適用可能な信頼度の低いスケジューリング許可を扱う通信ネットワークにおけるユーザ機器での方法であって、
少なくとも１つの受信した信頼度の低い相対スケジューリング許可を検出する（Ｓ１）工程と、
前記少なくとも１つの検出された信頼度の低い相対スケジューリング許可を解釈する（Ｓ２）工程と、
前記検出及び前記解釈に基づいて、新しいサービング許可を評価する（Ｓ３）工程とを有することを特徴とする方法。
【請求項２】
所定の時間の間に、連続的に受信した信頼度の低いスケジューリング許可について前記通信ネットワークへイベントをレポートする（Ｓ４）工程をさらに有することを特徴とする請求項１に記載の方法。
【請求項３】
前記所定の時間の間に、所定の数の信頼度の低いスケジューリング許可が受信されたなら前記イベントをレポートする（Ｓ４）ことを特徴とする請求項２に記載の方法。
【請求項４】
何らかの受信した信頼度の低いスケジューリング許可をＨＯＬＤとして解釈する（Ｓ２）ことを特徴とする請求項１に記載の方法。
【請求項５】
前記評価する（Ｓ３）工程は、対応する相対スケジューリング許可が全て、信頼度が高いものである最後のサービング許可を維持する工程を有することを特徴とする請求項１乃至４のいずれか１項に記載の方法。
【請求項６】
ＳＧ（κ）＝ＳＧ（ｍ）に従って、新しいサービング許可を評価し（Ｓ３）、
κは現在の送信時間間隔であり、ｍは全てのスケジューリング許可が信頼度が高いものとして受信された最後の送信時間間隔であることを特徴とする請求項５に記載の方法。
【請求項７】
前記評価する（Ｓ３）工程は、ＤＯＷＮスケジューリング許可、或は新しいサービング許可が以前のサービング許可よりも低いものであるなら前記新しいサービング許可のみに従うことを特徴とする請求項１乃至３のいずれか１項に記載の方法。
【請求項８】
ＳＧ（κ）＝ｍｉｎ｛ＳＧ（ｍ），Ｇserv_cell（κ）｝に従って、新しいサービング許可を評価し（Ｓ３）、
Ｇserv_cellは、現在のＴＴＩにおいて前記サービングセルから受信したスケジューリング許可であることを特徴とする請求項７に記載の方法。
【請求項９】
信頼度が高く受信したスケジューリング許可に基づいて、新しいサービング許可を評価する（Ｓ３）ことを特徴とする請求項１乃至４のいずれか１項に記載の方法。
【請求項１０】
前記ユーザ機器は隣接セルリストにおける隣接セルについてのアップリンク干渉閾値を受信する工程をさらに有し、
前記受信する工程は少なくとも１つの受信検出した信頼度の低いスケジューリング許可に応答して、
前記隣接セルに対する経路損失を測定し、アップリンク干渉を評価し、
前記干渉が前記アップリンク干渉閾値未満を保持するように、ＴＦＣ選択を用いて送信電力を調整することを特徴とする請求項１に記載の方法。
【請求項１１】
基地局からのアップリンクＴＰＣ命令を受信する工程をさらに有し、
前記解釈する（Ｓ２）工程は、前記受信したアップリンクＴＰＣ命令に基づいて、前記少なくとも１つの受信した信頼度の低い許可を解釈することを特徴とする請求項１乃至３のいずれか１項に記載の方法。
【請求項１２】
もし前記アップリンクＴＰＣ命令がＤＯＷＮであるなら、ＨＯＬＤとして受信した信頼度の低いスケジューリング許可を解釈する（Ｓ２）工程をさらに有し、
これにより前記ユーザ機器は前記サービングセルからの前記許可に従うことができることを特徴とする請求項１１に記載の方法。
【請求項１３】
もし前記アップリンクＴＰＣ命令がＵＰであるなら、ＤＯＷＮとして受信した信頼度の低いスケジューリング許可を解釈する（Ｓ２）工程をさらに有することを特徴とする請求項１１に記載の方法。
【請求項１４】
Ｒg＝−１×ＴＰＣUL_TTIに従って前記少なくとも１つの受信した信頼度の低いスケジューリング許可を解釈し（Ｓ２）、
Ｒg＝干渉を受けた信頼度の低い許可であり、
ＵＰ命令に対してはＴＰＣＵＬ＝１であり、
ＤＯＷＮ命令に対してはＴＰＣＵＬ＝０であり、
ＴＰＣUL_TTIは１ＴＴＩ（２ｍｓ或は１０ｍｓ）の間に受信されるＴＰＣUL命令全ての組み合わされた決定に基づいており、例えば、ＴＰＣULの大部分がＵＰであるなら、ＴＰＣUL_TTIはＵＰであり、ＴＰＣULの大部分がＵＰでないなら、ＴＰＣUL_TTIはＵＰではないことを特徴とする請求項１１に記載の方法。
【請求項１５】
前記検出する（Ｓ１）工程は、前記受信電力が所定の間隔のものであるかどうかを判断する工程を有することを特徴とする請求項１乃至１４のいずれか１項に記載の方法。
【請求項１６】
前記所定の間隔とは信頼度の低い電力領域であることを特徴とする請求項１５に記載の方法。
【請求項１７】
前記信頼度の低い領域は第１の閾値と第２の閾値とにより定義されることを特徴とする請求項１６に記載の方法。
【請求項１８】
複数の受信した信頼度の低いスケジューリング許可を検出することを特徴とする請求項１乃至１７のいずれか１項に記載の方法。
【請求項１９】
１つだけの受信した信頼度の低いスケジューリング許可を検出することを特徴とする請求項１乃至１７のいずれか１項に記載の方法。
【請求項２０】
通信ネットワークにおける信頼度の低いスケジューリング許可を扱う方法であって、
所定の時間の間に、連続して受信検出した信頼度の低いスケジューリング許可についてのイベントのレポートを受信する（Ｓ１０）工程と、
前記受信したイベントレポートに応じて、ダウンリンク干渉を低減するためにダウンリンクに関する無線資源管理手順を開始する（Ｓ１１）工程とを有することを特徴とする方法。
【請求項２１】
前記開始する（Ｓ１１）工程は、前記許可チャネルについての電力オフセットを増加してダウンリンク干渉を減少させ、より信頼度の高い許可を可能にすることを特徴とする請求項２０に記載の方法。
【請求項２２】
前記開始する（Ｓ１１）工程は、ダウンリンク負荷を軽減してダウンリンク干渉を減少させ、より信頼度の高い許可を可能にすることを特徴とする請求項２０に記載の方法。
【請求項２３】
前記開始する（Ｓ１１）工程は、信頼度の低い無線リンクを除去し、信頼度の高いリンクで置換する工程を含むことを特徴とする請求項２０に記載の方法。
【請求項２４】
通信ネットワークにおけるノードＢで、送信された信頼度の低いスケジューリング許可を扱う方法であって、
ユーザ機器からのビット速度の期待値と実際に受信したビット速度とを比較し、前記比較結果が所定のビット速度間隔の間となるなら、送信された信頼度の低いスケジューリング許可を検出することにより、少なくとも１つの送信された信頼度の低いスケジューリング許可を検出する（Ｓ２０）工程と、
前記少なくとも１つの許可に基づいて、無線ネットワーク制御装置に対してダウンリンクの前記スケジューリング許可チャネルの電力オフセットを見直すように要求する（Ｓ２１）工程とを有することを特徴とする方法。
【請求項２５】
前記要求された見直しに基づいて前記スケジューリングチャネルの電力オフセットを増加させることを特徴とする請求項２４に記載の方法。
【請求項２６】
前記要求された見直しに基づいてダウンリンク負荷を減少させることを特徴とする請求項２４に記載の方法。
【請求項２７】
複数の送信された信頼度の低いスケジューリング許可を検出する（Ｓ２０）ことを特徴とする請求項２４乃至２６のいずれか１項に記載の方法。
【請求項２８】
１つの送信された信頼度の低いスケジューリング許可を検出する（Ｓ２０）ことを特徴とする請求項２４乃至２６のいずれか１項に記載の方法。
【請求項２９】
通信ネットワークにおけるユーザ機器であって、
少なくとも１つの受信した信頼度の低いスケジューリング許可を検出する（１１）手段と、
前記受信検出された少なくとも１つの信頼度の低いスケジューリング許可を解釈（１２）する手段と、
少なくとも前記検出に基づいて、新しいサービング許可を評価する（１３）手段とを有し、
前記評価する（１３）手段は、前記解釈に基づいて、前記新しいサービング許可を評価するよう適合されていることを特徴とする装置。
【請求項３０】
所定の時間の間に、連続的に受信した信頼度の低いスケジューリング許可について前記通信ネットワークにおけるサービングユニットへイベントをレポートする（１４）手段をさらに有することを特徴とする請求項２９に記載の装置。
【請求項３１】
隣接セルリストにおける隣接セルについてのアップリンク干渉閾値を受信する手段をさらに有し、
前記受信する手段は、少なくとも１つの受信検出した信頼度の低いスケジューリング許可に応答して、
前記隣接セルに対する経路損失を測定し、アップリンク干渉を評価し、
前記干渉が前記アップリンク干渉閾値未満を保持するように、ＴＦＣ選択を用いて送信電力を調整するように適合されていることを特徴とする請求項２９に記載の装置。
【請求項３２】
基地局からのアップリンクＴＰＣ命令を受信する手段をさらに有し、
前記解釈する（１２）手段は、前記受信したアップリンクＴＰＣ命令に基づいて、前記少なくとも１つの受信した信頼度の低い許可を解釈するよう適合されていることを特徴とする請求項２９乃至３１のいずれか１項に記載の装置。
【請求項３３】
通信ネットワークにおいて信頼度の低いスケジューリング許可を扱うネットワークユニットであって、
所定の時間の間に、連続して受信検出した信頼度の低いスケジューリング許可についてのイベントのレポートを受信する（４０）手段と、
前記受信したイベントに応答して、ダウンリンクに関する無線資源管理手順を開始する（４１）手段とを有することを特徴とするネットワークユニット。
【請求項３４】
前記ネットワークユニットは無線ネットワーク制御装置であることを特徴とする請求項３３に記載のネットワークユニット。
【請求項３５】
通信ネットワークにおけるノードであって、
少なくとも１つの送信された信頼度の低いスケジューリング許可を検出する（５０）手段と、
前記少なくとも１つの送信された許可に基づいて、無線ネットワーク制御装置に対してダウンリンクの前記スケジューリング許可チャネルの電力オフセットを見直すように要求する（５１）手段とを有することを特徴とするノード。
【請求項３６】
前記要求された見直しに基づいて前記スケジューリングチャネルの電力オフセットを増加させる手段をさらに有することを特徴とする請求項３５に記載のノード。
【請求項３７】
前記要求された見直しに基づいてダウンリンク負荷を減少させる手段をさらに有することを特徴とする請求項３５に記載のノード。
【請求項３８】
前記ノードはノードＢであることを特徴とする請求項３５乃至３７のいずれか１項に記載のノード。
【手続補正書】
【提出日】平成20年4月18日(2008.4.18)
【手続補正１】
【補正対象書類名】特許請求の範囲
【補正対象項目名】請求項８
【補正方法】変更
【補正の内容】
【請求項８】
ＳＧ（κ）＝ｍｉｎ｛ＳＧ（ｍ），Ｇserv_cell（κ）｝に従って、新しいサービング許可を評価し（Ｓ３）、
Ｇserv_cellは、現在のＴＴＩにおいてサービングセルから受信したスケジューリング許可であることを特徴とする請求項７に記載の方法。
【手続補正２】
【補正対象書類名】特許請求の範囲
【補正対象項目名】請求項１２
【補正方法】変更
【補正の内容】
【請求項１２】
もし前記アップリンクＴＰＣ命令がＤＯＷＮであるなら、ＨＯＬＤとして受信した信頼度の低いスケジューリング許可を解釈する（Ｓ２）工程をさらに有し、
これにより前記ユーザ機器はサービングセルからの前記許可に従うことができることを特徴とする請求項１１に記載の方法。
【手続補正３】
【補正対象書類名】特許請求の範囲
【補正対象項目名】請求項２４
【補正方法】変更
【補正の内容】
【請求項２４】
通信ネットワークにおけるノードＢで、送信された信頼度の低いスケジューリング許可を扱う方法であって、
ユーザ機器からのビット速度の期待値と実際に受信したビット速度とを比較し、前記比較結果が所定のビット速度間隔の間となるなら、送信された信頼度の低いスケジューリング許可を検出することにより、少なくとも１つの送信された信頼度の低いスケジューリング許可を検出する（Ｓ２０）工程と、
前記少なくとも１つの許可に基づいて、無線ネットワーク制御装置に対してダウンリンクの前記スケジューリング許可のチャネルの電力オフセットを見直すように要求する（Ｓ２１）工程とを有することを特徴とする方法。
【手続補正４】
【補正対象書類名】特許請求の範囲
【補正対象項目名】請求項２５
【補正方法】変更
【補正の内容】
【請求項２５】
前記要求された見直しに基づいて前記スケジューリング許可のチャネルの電力オフセットを増加させることを特徴とする請求項２４に記載の方法。
【手続補正５】
【補正対象書類名】特許請求の範囲
【補正対象項目名】請求項３５
【補正方法】変更
【補正の内容】
【請求項３５】
通信ネットワークにおけるノードであって、
少なくとも１つの送信された信頼度の低いスケジューリング許可を検出する（５０）手段と、
前記少なくとも１つの送信された許可に基づいて、無線ネットワーク制御装置に対してダウンリンクの前記スケジューリング許可のチャネルの電力オフセットを見直すように要求する（５１）手段とを有することを特徴とするノード。
【手続補正６】
【補正対象書類名】特許請求の範囲
【補正対象項目名】請求項３６
【補正方法】変更
【補正の内容】
【請求項３６】
前記要求された見直しに基づいて前記スケジューリング許可のチャネルの電力オフセットを増加させる手段をさらに有することを特徴とする請求項３５に記載のノード。
【国際調査報告】
2008530837.tif 000009
2008530837.tif 000010
2008530837.tif 000011